(57)【要約】本発明は、エンジンプーリ（Ｐ）に低モジュラスタイプの動力伝達ベルトを装着するための用具（１００）である。より特定すれば、２式の溝（ｂ、ｃ）を有するプーリに対する用具であり、２つの動力伝達ベルトがプーリに係合される。用具は、リム（Ａ）と係合するとともにリムから径方向に突出する少なくとも２つの表面（２１、３１）を有する実質的半円状の形になっている。また、２つの表面（２１、３１）各々は、プーリの回転軸に関して螺旋角を描く。第１の表面（２１）は、用具の１回目の回転の間、ベルトを第１のプーリ溝一式へ付勢する。第２の表面（３１）は、用具の２回目の回転の間、ベルトを第２のプーリ溝一式へ付勢する。
2005534867.tif 000002
【特許請求の範囲】
【請求項１】
第１の付勢部材と、
第２の付勢部材とを備え、
前記第１の付勢部材が、用具の中心から放射状に突出するとともに、用具の軸に対して実質的に螺旋状に形成される表面を有し、
前記第２の付勢部材が、用具の中心から放射状に突出するとともに、用具の軸に対して実質的に螺旋状に形成される表面を有し、
前記第１及び第２の付勢部材が、エンドレス部材と連続的に係合するため、用具のリムまわりに配置されることを特徴とする用具。
【請求項２】
プーリ溝と係合するために前記用具のリムから用具の中心に向けて放射状に突出する部材をさらに有することを特徴とする請求項１に記載の用具。
【請求項３】
プーリのリムと係合するために前記用具のリムから用具の中心に向けて放射状に突出する部材をさらに有することを特徴とする請求項１に記載の用具。
【請求項４】
実質的に用具の回転中心に配置される手工具係合部をさらに有することを特徴とする請求項１に記載の用具。
【請求項５】
用具の中心から用具のリムへ向けて延びているウェブをさらに有することを特徴とする請求項１に記載の用具。
【発明の詳細な説明】
【技術分野】
【０００１】
本発明は、ベルト装着用具に関し、特に、２重溝一式プーリ（dual groove set pulley）に２つの動力伝達ベルトを装着させるための互いに協同する螺旋面を有するベルト装着用具に関する。
【背景技術】
【０００２】
ベルト駆動システムは、重要かつ幅広く使用されている機械式動力伝達の形である。概してベルトは、２つ又はそれ以上のプーリ間、より特定すれば原動プーリおよび従動プーリ間を廻る。
【０００３】
プーリ間に動力を効率よく伝達させるため、ベルトは、あらかじめ定められた予備荷重（preload）すなわち張力をもって装着される。要求される張力の値は、概して、駆動における馬力およびトルク要求に関連する。増加する馬力およびトルク要求は、それに比例したベルト張力の増加を概して要求する。
【０００４】
適切な張力を実現させるために１つ又はそれ以上のプーリが緩められ、ベルトが緩むように１つ又は複数のシャフトが移動可能である。そして、ベルトはプーリ間で輪になってくくられる。緩められたプーリは、その後所定の位置へ引っぱられ、あるいは固定され、その結果ベルトが張る。この方法は、適切にベルトに張力をかけるため機械的に調整されるプーリを要求する。
【０００５】
他の方法を利用してプーリ系にベルトを装着してもよい。テンショナが備えられた自動張力掛け装置をもつシステムでは、ベルトは作用位置に配置され、テンショナは作用場所に放たれる。テンショナのないシステムでは、ベルトはプーリ周りに巻きつけられ、その後、ブラケットあるいはそれと同類の器具によってプーリが最終場所に固定される。
【０００６】
ベルトを装着させる他の方法としては、プーリを機械的に調整する必要もなくベルトをプーリ溝へ押し付ける用具の使用がある。用具は、プーリの傍で使用される。用具は、プーリ溝へ横方向に力を加えながらベルトを張る。
【０００７】
従来技術の代表は、ハッチンソン（Hutchinson）の欧州特許第０，８３１，２４７（Ｂ１）号であり、プーリのガース（girth）にあるラジアルスラスト領域を有する用具が開示されており、ベルトがプーリ表面から離れた平面に到達するまでベルトをプーリから離しておく。
【０００８】
また、従来技術の代表としてボイヤー（Boyer）等の米国特許４，１９３，３１０号（１９８０年）があり、ベルトをプーリのリムに係合、位置決めさせるために径方向および横方向に延びる分岐手段を有するプーリが開示されている。この発明では、ベルトをプーリ周りに徐々に掛けるための支持面が存在せず、代わりにベルトをプーリ溝へ険しく曲げる突起がある。
【発明の開示】
【発明が解決しようとする課題】
【０００９】
従来の装置では、ベルトを用具の小さい半径部分へ無理やり曲げるため、ベルト装着中にベルトを損傷させる高い応力集中が生じる。さらに、高い横方向への荷重がベルトの側壁を損傷させる。ベルトがプーリ溝に移動するときのベルト横方向の動きも、ベルトを損傷させる。さらに、従来の用具では、２重溝一式プーリに２つのベルトを装着できない。
【００１０】
２重溝一式プーリに２つのベルトを効率よく装着させるベルト装着用具が要求される。互いに協同する螺旋面を有するベルト装着用具が要求される。本発明はこれら要求を満たす。
【課題を解決するための手段】
【００１１】
本発明の第１の目的は、２重溝一式プーリに２つのベルトを効率よく装着させるベルト装着用具を提供することである。
【００１２】
本発明のもうひとつの目的は、協同する螺旋面を有するベルト装着用具を提供することである。
【００１３】
本発明の他の目的は、以下に示す本発明の記述および添付図面によって指摘され、明らかにされる。
【００１４】
本発明は、エンジンプーリに低モジュラスタイプの動力伝達ベルトを装着するための用具である。より特定すれば、２式の溝を有するプーリに対する用具であり、２つの動力伝達ベルトがプーリに係合される。用具は、リムと係合するとともにリムから径方向に突出する少なくとも２つの表面を有する実質的半円状の形になっている。また、２つの表面各々は、プーリの回転軸に関して螺旋角を描く。第１の表面は、用具の１回目の回転の間、ベルトを第１のプーリ溝一式へ付勢する。第２の表面は、用具の２回目の回転の間、ベルトを第２のプーリ溝一式へ付勢する。
【発明を実施するための最良の形態】
【００１５】
図１は、ベルト装着用具の斜視図である。用具１００は、付勢部材２０と付勢部材３０とを備える。付勢部材２０と付勢部材３０各々は、リム４０から放射状に突出している。
【００１６】
リム４０は、ウェブ１０に接続されている。ウェブ１０の中心には、用具受け部５０がある。
【００１７】
付勢部材２０は表面２１を有する。表面２１は、弧状のリム４０と係合するように実質的平面形状を有する。付勢部材３０は表面３１を有する。表面３１は、弧状のリム４０と係合するように実質的平面形状を有する。表面２１および表面３１各々は、図３、図４に見られるように、用具側面から見たときに用具の回転軸に対して実質的に螺旋状に形成されている。
【００１８】
部材１１、１２は、概してリム４０から内側へ向かって径方向に延びている。部材１１、１２は、プーリのベルト係合面、すなわち溝と係合する（図５の符号Ｂ、Ｃ参照）。タブ１３は、用具の回転中心に向けて径方向に沿って内側へ延びている。タブ１３は、用具が使用されるときにプーリのリム（図５参照）と係合する。
【００１９】
手工具係合部５０は、実質的に用具の回転中心に配置される。
【００２０】
図２は、用具の平面図である。付勢部材２０および付勢部材３０は、リム４０上において用具１００の周方向まわりに延びている。付勢部材３０は、概して９０°を超える弧を辿って延びている。付勢部材２０は、概して９０°より小さい弧を辿って延びている。用具１００は、全体としておよそ１８０°の弧を辿って延びている。これにより、ベルトを装着する間、プーリに対する用具の取り付けおよび取り外しが容易になる。
【００２１】
図３は、用具の側面図である。付勢部材２０および付勢部材３０、より特定すれば表面２１および表面３１各々は、回転軸Ａ−Ａに対して実質的に螺旋角を形成する。
【００２２】
図４は、用具の側面図である。表面２１および表面３１の螺旋形状が明確に示されている。ベルト係合面４２は、用具中心に向けて延びる実質的円弧表面になっている。
【００２３】
用具１００の使用側面６０は、プーリにおいてベルトの装着される側に係合される。
用具は、理想的には２重溝一式プーリ（dual groove set pulley）に低モジュラスタイプの動力伝達ベルト、あるいはエンドレス部材を装着するために適用される。低モジュラスの動力伝達ベルトは、張力負荷を掛けられたとき延びる許容量をもつ。２重溝一式プーリは、例えばマルチリブ動力伝達ベルトを含む２つの動力伝達ベルトと係合するため２式の溝を有する（図５参照）。用具はまた、単一ベルト用プーリに低モジュラスタイプのベルトを同様に装着するため使用すればよい。
【００２４】
図１および図５に示すように、用具はプーリ上に配置される。用具は、プーリＰのリムＡおよび第１のプーリ溝一式Ｂとに係合される。タブ１３はプーリのリムと係合し、部材１１、１２は第１のプーリ溝一式Ｂと係合する。ベルトは、始めに用具まわりに緩んだ状態で配置され、その結果ベルトは用具のスロット６１において係合するとともに、表面４１、４２と係合する。手工具係合部５０のＨＴにおいて手工具Ｈを係合させることにより、用具は図１に示すようにＲ方向へ回転させられる。手工具は、従来知られているソケットと係合するためのラチェットあるいは他の工具といった任意のものであればよい。
【００２５】
図５は、プーリ上に配置された用具の側面図である。図５では、第１のプーリ溝一式Ｂと第２のプーリ溝一式Ｃとして、マルチリブ面が描かれている。第１のプーリ溝一式Ｂは、図に示すように、第２のプーリ溝一式Ｃとは異なる半径を有する。用具の半径は、図示するように、プーリに適切に係合するようにあらかじめ定められている。もちろん、プーリ溝Ｂ、Ｃの半径は、ユーザの要求により同じであってもよい。手工具Ｈは、図示するように用具に係合される。
【００２６】
用具が回転させられると、表面２１からの横方向圧力により、ベルトが第１のプーリ溝一式Ｂへ付勢される。用具は、ベルトを第１のプーリ溝一式Ｂに装着させるのに十分な一回転だけ回転させられる。そして用具は、新たな回転を開始する。新たな回転により、表面３１は、第１のプーリ溝一式においてベルト側面と係合する。用具がさらに回転させられると、表面３１は、第１のプーリ溝一式Ｂに隣接する第２のプーリ溝一式Ｃに向けて、横方向圧力によってベルトを横方向へ付勢する。用具は、ベルトを第２のプーリ溝一式Ｃに装着させるのに十分なように２回目の完全なる回転がなされる。ベルトが一旦第２のプーリ溝一式Ｂに装着されると、第２のベルトが第１のプーリ溝一式に前述したような仕方で装着される。第２のベルトが第１のプーリ溝一式に装着されると、用具は取り外される。
【００２７】
発明の一態様はここに記載されているが、ここに記載された発明の意図および範囲から離れることなく構成および関連するパーツにおいてバリエーションが作り出されることは、当業者にとって自明である。
【図面の簡単な説明】
【００２８】
【図１】ベルト装着用具の斜視図である。
【図２】用具の平面図である。
【図３】用具の側面図である。
【図４】用具の側面図である。
【図５】プーリ上に配置された用具の側面図である。
【図１】
2005534867.tif 000003
【図２】
2005534867.tif 000004
【図３】
2005534867.tif 000005
【図４】
2005534867.tif 000006
【図５】
2005534867.tif 000007
【国際調査報告】
2005534867.tif 000008
2005534867.tif 000009
2005534867.tif 000010